(57)【要約】【課題】均一な照明が得られ且つ表示板においての調光を不要とした計器照明装置を提供する。【解決手段】光源２１の照明光が略横方向に照射するように光源２１が回路基板５に配置され、光源２１からの照射光を第１の反射体１４、表示板１１及び遮光及び反射キャップ２３の第２の反射面２６により乱反射させて面発光させる。面発光した散乱光を表示板１１に照明することで、表示板１１が均一に照明に照明されると共に表示板１１の調光が不必要となる。【選択図】        図２
2004226285.tif 000002
【特許請求の範囲】
【請求項１】
回路基板と、該回路基板から前方に延びる駆動軸を有すると共に前記回路基板に装着されたムーブメントと、前記駆動軸の先端に基部を固着され且つ前記回路基板と平行に延びている指針と、該指針の前記回路基板近傍側に配設され且つ前記指針に対応する表示部を有する表示板と、前記回路基板上の前面側であると共に前記駆動軸近傍の周りであって照明光が略横方向に照射するように配設さた複数の光源と、前記回路基板と前記表示板との間に配設された複数の反射体と、を備える計器照明装置であって、
前記複数の反射体は、前記光源からの照明光を反射する第１の反射面を有する環状の第１の反射体と、前記駆動軸周りに配設されていて前記表示板からの反射光を再反射可能であり且つ前記光源からの上方への照射光を遮断すると共に横方向への照射光を照射可能にする第２の反射体と、を備えることを特徴とする計器照明装置。
【請求項２】
前記第２の反射体は、下部が前記光源近傍の上方まで延びる末広がりの円錐部を有し、前記円錐部下部により前記光源から上方への光を遮光すると共に前記円錐部の外周面である第２の反射面によって前記表示板からの反射光を前記表示板に再反射する遮光及び反射キャップであることを特徴とする請求項１に記載の計器照明装置。
【請求項３】
前記表示板の裏面側の色が白色系であることを特徴とする請求項１又は２に記載の計器照明装置。
【発明の詳細な説明】
【０００１】
【発明の属する技術分野】
本発明は、種々の数値を表示する計器装置、例えば車両に搭載される計器装置の照明装置に関するものである。
【０００２】
【従来の技術】
【０００３】
【発明の属する技術分野】
従来の計器装置においては、基板上に配設された光源からの照明光を上方に照射し、上方に配設された第１の反射体からの反射光を下部外周側の第２の反射体に入射し、さらに第２の反射体により前面パネルに反射して前面パネルの表示部を照明するものが知られている（例えば、特許文献１参照）。
【０００４】
【特許文献１】
特開２００１−９９６８５号公報（第４図）
【０００５】
【発明が解決しようとする課題】
しかしながら、従来の計器照明装置においては、前面パネル中心部の上方にある第１の反射体からの反射光を下部外周側に下向きに照明し、第２の反射体からの反射光を表示板としての前面パネルに照明しているために、前面パネル中央部では良い照明が得られるが外周方向に従って次第に照明が弱くなって表示部の照明が均一になり難くなることがある。このため、前面パネルにおける調光を必要とすることが生じる虞がある。
【０００６】
また、前面パネルの外側の位置において良好な照明を得るために、第２の反射体の反射効率の影響を受けやすい問題がある。そして、前面パネルの照明範囲が広い場合には、前面パネルの輝度ムラを生じる虞がある。
【０００７】
本発明は、均一な照明が得られ且つ前面パネルにおいての調光を不要とした計器照明装置を提供することを目的とするものである。
【０００８】
【課題を解決するための手段】
本発明は、上述事情に鑑みなされたものであって、請求項１に記載の発明は、回路基板と、該回路基板から前方に延びる駆動軸を有すると共に前記回路基板に装着されたムーブメントと、前記駆動軸の先端に基部を固着され且つ前記回路基板と平行に延びている指針と、該指針の前記回路基板近傍側に配設され且つ前記指針に対応する表示部を有する表示板と、前記回路基板上の前面側であると共に前記駆動軸近傍の周りであって照明光が略横方向に照射するように配設さた複数の光源と、前記回路基板と前記表示板との間に配設された複数の反射体と、を備える計器照明装置であって、前記複数の反射体は、前記光源からの照明光を反射する第１の反射面を有する環状の第１の反射体と、前記駆動軸周りに配設されていて前記表示板からの反射光を再反射可能であり且つ前記光源からの上方への照射光を遮断すると共に横方向への照射光を照射可能にする第２の反射体と、を備えることを特徴している。
【０００９】
このように構成された請求項１の発明では、光源からの照明光のうち、上方への照明光は第２の反射体の円錐部の下部により遮断されると共に、横方向への照明光は第１の反射体及び回路基板に向け照射される。このため、第１の反射体及び回路基板からの反射光が表示板の裏面、特に駆動軸から遠い位置に効率的に照明することができる。さらに、表示板からの反射光の一部が第２の反射体により反射されて再び表示板を照明することができる。
【００１０】
すなわち、光源からの照明光は回路基板と表示板間の空間を乱反射して散乱することで、第１及び第２の反射体、表示板１１及び回路基板等が面発光する状態となって表示板を一様に照明する。このため、表示板を均一に照明することができると共に、表示板を照明のための調光を不必要とすることができる。
【００１１】
また、請求項２に記載の発明は、前記第２の反射体は、下部が前記光源近傍の上方まで延びる末広がりの円錐部を有し、前記円錐部下部により前記光源から上方への光を遮光すると共に前記円錐部の外周面である第２の反射面によって前記表示板からの反射光を前記表示板に再反射する遮光及び反射キャップであることを特徴としている。
【００１２】
このように構成された請求項２の発明にでは、遮光反射キャップは光源の照明光を遮断して横方向に確実に照射させると共に、円錐部の下部が光源まで延びることで比較的大きな第２の反射面を有しているので、表示板からの反射光を表示板に再反射して効率的に乱反射することができ、表示板を効果的に照明することができる。
【００１３】
また、請求項３に記載の発明は、前記表示板の裏面側の色が白色系であることを特徴としている。
【００１４】
このように構成された請求項３発明では、光源からの照明による第１の反射体及び回路基板からの反射光は、表示板により効率的に第２の反射体に反射することができ、これにより第２の反射体からの表示板への再反射をより向上させることができる。
【００１５】
【発明の実施の形態】
以下、本発明の実施の形態を図面に基づいて説明する。
【００１６】
図１は計器装置アッセンブリ１の平面図であって、この計器装置アッセンブリ１を前面側から見た状態を示している。この計器装置アッセンブリ１には、本発明が適用された複数の計器装置２，３，４が一つに纏められて収納されている。
【００１７】
図２は図１におけるＡ−Ａ線断面矢視図、図３は図１におけるＢ−Ｂ線断面矢視図、図４は図２におけるＣ−Ｃ線断面矢視図をそれぞれ示している。以下、計器装置３及びこれに適用された計器照明装置を図２〜図４により説明する。
【００１８】
回路基板５は、ガラスエポキシ系基材に図示しない配設パターンを施した硬質回路基板からなっている。この回路基板５の裏面側（後面側）にはムーブメント６が装着されており、このムーブメント６の駆動軸７は回路基板５に穿設された穴８を貫通して前方に延びている。
【００１９】
上記回路基板５には、上記ムーブメント６の駆動・制御を行う図示しない配線パターンや、図示しない抵抗、コンデンサ等の各種回路部品が上記配線パターンに導通接続されている。また、上記ムーブメント６は、可動磁石式計器又はステッピングモータからなっていて、半田付け等の導通手段により上記配線パターンに電気接続されている。
【００２０】
上記駆動軸７の先端には、指針９の基部９ａが固着されており、この指針９は透光性の樹脂からなっていて駆動軸７と略直角をなして延びている。この指針９の近傍であって回路基板５側には、指針９に対応する表示部１０（図１参照）を有する表示板１１が配設されている。
【００２１】
上記表示板１１の前面側の表示板面１１ａには、透光性合成樹脂からなる薄板状基材（図示せず）に、遮光性インクでなる地色部１２（図１参照）と、透光性着色インクでなる前記表示部１０とを備えている。
【００２２】
上記表示板１１の中心部には、前記駆動軸７の先端が貫通するための穴１３が穿設されている。また、上記表示板１１の裏面１１ｂは、光反射性のよい白色系の材料が施されている。
【００２３】
そして、上記表示部１０のみは光透過性に形成されている。この表示部１０は、上記指針９の先端部の回動軌道に沿って指示対象となるように配設された目盛や数字等からなっている。
【００２４】
上記回路基板５のと表示板１１との間には略環状をなす第１の反射体１４が配設されている。この第１の反射体１４の内面である第１の反射面１５は、外周にいくに従って次第に傾斜が大きくなるように湾曲した曲面からなっている。
【００２５】
上記第１の反射体１４は、図３、図４に示すように第１の反射体１４の外周上部１６から中心部に延びる扇形の延長部１７と、この延長部１７から前記回路基板５側に延びる左右の壁部１８と、延長部１７の内外部側の壁部１９，２０とを有している。
【００２６】
次に、駆動軸７の周りの回路基板５上には、複数の光源２１が等間隔に配設されている。この光源２１は、チップ型の発光ダイオードからなっていて、その照射光２２の向きが略横方向、すなわち半径方向になるようににそれぞれ配置されている。
【００２７】
さらに、上記駆動軸７の周りには、第２の反射体としての遮光及び反射キャップ２３が配設されている。
【００２８】
この遮光及び反射キャップ２３は、頭部が裁断された円錐部２４と、この円錐部２４の上部に一体的に連続している筒部２５とを有している。上記筒部２５の基部２５ａを回路基板５に固着することで、第２の反射体２３は回路基板５に装着されている。
【００２９】
上記円錐部２４は、この円錐部２４の下部２４ａが前記回路基板５近傍まで末広がりに延びる形状をしている。このため、円錐部２４の傾斜している外周面２６の面積は、上面視において比較的大きくなるように形成されている。
【００３０】
また、円錐部２４の外周面２６の面積を大きくするために、円錐部２４の上部２４ｂの外径をできるだけ小さくすることが望ましい。
【００３１】
なお、上記円錐部２４の上記外周面２６は、後述するように第２の反射面として機能するものである。この第２の反射体としての円錐部２４の面積が大きいことで、後述する照明光の反射を効率的に行うことができる。
【００３２】
また、上記円錐部２４の下部２４ａの外径は、上記円錐部２４を支持している筒部２５の基部２５ａの外径よりも可成り大きな値になっている。このため、円錐部２４を上方視した場合の回路基板５において、基部２５ａの外径と、筒部２５の基部２５ａの外径との間で、環状部（影部）５ｂが形成されている。
【００３３】
前述した光源２１は、上記環状部５ｂ内にそれぞれ配設されている。このため、光源２１から照射される照明光は、上記円錐部２４の下部２４ａにより上方への照明が遮断されると共に、略横方向には照射可能になっている。
【００３４】
また、上記回路基板５の前面であって上記筒部２５の外側と第１の反射体１４の内周とで囲まれる環状をなす回路基板５の前面５ａは、暗色系のグリーン等の色が施されている。尚、光反射性が必要な場合は白色を施すこともある。
【００３５】
上記の光源２１と、回路基板５、第１反射体１４、表示板１１及び遮光及び反射キャップ２３の円錐部２４等により、計器照明装置３Ａが構成されている。
【００３６】
この計器照明装置３Ａは、光源２１から照射される照射光２２を乱反射させることで、回路基板５、第１の反射体１４の第１の反射面１５、表示板１１、遮光及び反射キャップ２３の第２の反射面２６等をそれぞれ面発光とする散乱光を発生させて、表示板１１を均一に照明するものである。
【００３７】
次に、本発明の本実施の形態の作用について説明する。
【００３８】
光源２１から照射されて第１の反射体１４の第１の反射面１５に入射される入射光ａは、第１の反射面１５により反射されて反射光ｂが表示板１１の裏面に入射される。さらに、表示板１１からの反射光ｃが第２の反射体としての円錐部２４の第２の反射面２６に入射される。
【００３９】
この第２の反射面２６からの反射光ｄは再び表示板１１に入射されて表示板１１が照明される。
【００４０】
また、光源２１から回路基板５の前面５ａに入射されて反射される反射光ｅは、表示板１１の裏面側に入射されて表示板１１を照明する。さらに、表示板１１からの図示しない反射光は、第１の反射体１４の第１の反射面１５に入射され、その図示しない反射光は再び表示板１１に入射されて表示板１１を照明する。
【００４１】
このように、光源２１の照射光を横方向に照射すると共に、この光源２１の照射光が、第１の反射体１４、回路基板５、表示板１１及び遮光及び反射キャップ２３の第２の反射面２６等により乱反射して一様に散乱されて表示板１１に入射することで、表示板１１を均一に照明することができる。
【００４２】
また、表示板１１を均一に照明できることにより、表示板１１に対する調光を不必要とすることが可能となる。
【００４３】
特に、光源２１の照射光を略横方向に照射させることで、駆動軸７から比較的離隔した位置にある表示部１０の照明を確実に行うことができる。さらに、表示部１０の大きい（文字板の大きい）計器装置３に対しても、計器照明装置３Ａは容易に対応することができる。
【００４４】
以上説明した本発明の実施の形態の計器照明装置は、回路基板５と、この回路基板５から前方に延びる駆動軸７を有すると共に前記回路基板５に装着されたムーブメント６と、前記駆動軸７の先端に基部９ａを固着され且つ前記回路基板５と平行に延びている指針９とを備えている。
【００４５】
さらに、上記計器照明装置３Ａは、指針９の前記回路基板５近傍側に配設され且つ前記指針９に対応する表示部１０を有する表示板１１と、前記回路基板５の上の前面側であると共に前記駆動軸近傍の周りであって照明光が略横方向に照射するように配設さた複数の光源２１と、前記回路基板５と前記表示板１１との間に配設された複数の反射体１４，２３と、を備ている。
【００４６】
そして、前記複数の反射体１４，２３は、前記光源２１からの照明光を反射する第１の反射面目１５を有する環状の第１の反射体１４と、前記駆動軸７周りに配設されていて前記表示板１１からの反射光を再反射可能であり且つ前記光源２１からの上方への照射光を遮断すると共に横方向への照射光を照射可能にする第２の反射体２３と、を備えている。
【００４７】
この構成によれば、光源２１からの照明光のうち、上方への照明光は第２の反射体２３における円錐部の下部により遮断されると共に、横方向への照明光は第１の反射体１４及び回路基板５に向け照射される。このため、第１の反射体１４及び回路基板５の前面５ａからの反射光が表示板１１の裏面１１ｂ、特に駆動軸７から遠い位置に効率的に照明することができる。さらに、表示板１１からの反射光の一部が第２の反射体２３により反射されて再び表示板１１を照明することができる。
【００４８】
すなわち、光源２１からの照明光は回路基板５と表示板１１間の空間を乱反射して散乱することで、第１及び第２の反射体１４，２３、表示板１１及び回路基板５等が面発光する状態となって表示板１１を一様に照明する。このため、表示板１１を均一に照明することができると共に、表示板１１を照明のための調光を不必要とすることができる。
【００４９】
さらに、本発明の実施の形態の計器照明装置３Ａは、前記第２の反射体２３は、下部２４ａが前記光源２１近傍の上方まで延びる末広がりの円錐部２４を有し、前記円錐部２４下部により前記光源２１から上方への光を遮光すると共に、この円錐部２４の外周面である第２の反射面２６によって前記表示板１１からの反射光を前記表示板１１に再反射する遮光及び反射キャップからなっている。
【００５０】
この構成によれば、遮光及び反射キャップ２３は光源２１の上方への照明光を遮断して横方向に確実に照射させると共に、円錐部２４の下部２４ａが光源２１まで延びることで比較的大きな第２の反射面２６を有している。このため、表示板１１からの反射光を表示板１１に再反射して効率的に乱反射することができ、表示板１１を効果的に照明することができる。
【００５１】
さらに、本発明の実施の形態の計器照明装置３Ａは、前記表示板の裏面側の色が白色系の色からなっている。
【００５２】
この構成によれば、光源２１からの照明による第１の反射体１４及び回路基板５からの反射光は、表示板１１により効率的に第２の反射体に反射することができ、これにより第２の反射体２３からの表示板１１への再反射をより向上させることができる。
【００５３】
【発明の効果】
以上説明したように、請求項１に記載の発明によれば、光源からの照明光のうち、上方への照明光は第２の反射体の円錐部の下部により遮断されると共に、横方向への照明光は第１の反射体及び回路基板に向け照射される。このため、第１の反射体及び回路基板からの反射光が表示板の裏面、特に駆動軸から遠い位置に効率的に照明することができる。さらに、表示板からの反射光の一部が第２の反射体により反射されて再び表示板を照明することができる。
【００５４】
すなわち、光源からの照明光は回路基板と表示板間の空間を乱反射して散乱することで、第１及び第２の反射体、表示板１１及び回路基板等が面発光する状態となって表示板を一様に照明する。このため、表示板を均一に照明することができると共に、表示板を照明のための調光を不必要とすることができる。
【００５５】
また、請求項２発明によれば、遮光及び反射キャップは光源の照明光を遮断して略横方向に確実に照射させると共に、円錐部の下部が光源まで延びることで比較的大きな第２の反射面を有しているので、表示板からの反射光を表示板に再反射して効率的に乱反射することができ、表示板を効果的に照明することができる。
【００５６】
また、請求項３発明によれば、光源からの照明による第１の反射体及び回路基板からの反射光は、表示板により効率的に第２の反射体に反射することができ、これにより第２の反射体からの表示板への再反射をより向上させることができる。
【図面の簡単な説明】
【図１】本発明の実施の形態に関わる計器照明装置が適用された計器照明装置ユニットの平面図である。
【図２】図１のＡ−Ａ線断面矢視図である。
【図３】図１のＢ−Ｂ線断面矢視図である。
【図４】図２にＣ−Ｃ線断面矢視図である。
【符号の説明】
３            計器装置
３Ａ          計器照明装置
５                        回路基板
５ａ          回路基板の前面
６                        ムーブメント
７                        駆動軸
９                        指針
９ａ          指針の基部
１０                    表示部
１１                    表示板
１１ａ        表示板面
１１ｂ        表示板の裏面
１４                    第１の反射体
１５                    第１の反射面
２１          光源
２３                    遮光及び反射キャップ（第２の反射体）
２４                    円錐部
２４ａ        円錐部の下部
２６                    第２の反射面
【図１】
2004226285.tif 000003
【図２】
2004226285.tif 000004
【図３】
2004226285.tif 000005
【図４】
2004226285.tif 000006